(57)【特許請求の範囲】
【請求項１】
前壁部に前後方向に延びる端子収容室を有したフロントハウジングと、このフロントハウジングの端子収容室に連通するように前後方向に延びる端子収容室を有したリアハウジングと、前記フロントハウジングの前壁部と前記リアハウジングの前面側の間に組み付けられると共に、当該フロントハウジング及びリアハウジングの各端子収容室に収容された端子を仮係止位置から本係止位置に移動することで抜け止めするスペーサと、前記リアハウジングの後面側に組み付けられると共に、後壁部の内面側に備えられたマットシールにより前記端子から後方へ延びる電線をシールするシールハウジングとで構成されたコネクタであって、
前記フロントハウジングの前壁部の後方にフード部を形成し、前記リアハウジングの前面両側に保持部をそれぞれ形成し、この両側の保持部に仮係止用のガイドと本係止用のガイドをそれぞれ兼用したガイドを複数形成し、かつ、前記スペーサの両側に弾性片部をそれぞれ形成し、この両側の弾性片部に仮係止用のガイドと本係止用のガイドをそれぞれ兼用したガイドを複数形成し、これら各ガイドを介して前記スペーサを前記リアハウジングの両側の保持部よりも前記スペーサの両側の弾性片部が外側へ突出する前記仮係止位置と前記スペーサの両側の弾性片部と前記リアハウジングの両側の保持部が重なる前記本係止位置とに切り換え自在に前記リアハウジングの両側の保持部間に保持し、このスペーサが前記本係止位置にて前記リアハウジングの両側の保持部間に保持された状態で当該スペーサ及び前記リアハウジングを前記フロントハウジングのフード部内に後方より嵌め込んで組み付け自在にし、かつ、前記リアハウジングの後面側に設けられた連結手段を介して前記シールハウジングを前記スペーサ及びリアハウジングの組み付け方向と同方向から組み付け自在にしたことを特徴とするコネクタ。
【発明の詳細な説明】
【技術分野】
【０００１】
本発明は、ハウジングの端子収容室に収容された端子をスペーサで本係止して抜け止めするようにしたコネクタに関する。
【背景技術】
【０００２】
この種のコネクタとして、図９に示すものがある（例えば、特許文献１参照。）。
【０００３】
このコネクタ１は、図９に示すように、アウタハウジング２と、このアウタハウジング２の前面から前方に突出したフード部２ａ内に嵌め込まれるインナハウジング３と、インナハウジング３のキャビティ３ａ内に収容された端子４を抜け止めするリテーナ５とで構成されている。このリテーナ５はインナハウジング３の両側面を貫通するように形成されたリテーナ挿入孔３ｂより挿入されるようになっている。
【先行技術文献】
【特許文献】
【０００４】
【特許文献１】特開平１１−９７０９６号公報
【発明の概要】
【発明が解決しようとする課題】
【０００５】
しかしながら、前記従来のコネクタ１では、インナハウジング３のアウタハウジング２のフード部２ａへの嵌合方向Ａと、インナハウジング３のリテーナ挿入孔３ｂへのリテーナ５の挿入方向Ｂとが異なって組み付け方向が複数あるため、コネクタ１を自動化により組み付けることができなかった。即ち、近年のコネクタの小型化に伴い、組付部品の組み付けを自動化する必要があるが、前記従来のコネクタ１では、組み付け方向が二方向あって一方向からの組み付けができないため、組み付けの自動化が難しかった。
【０００６】
そこで、本発明は、前記した課題を解決すべくなされたものであり、一方向からの組み付けが可能で、組み付けの自動化ができるコネクタを提供することを目的とする。
【課題を解決するための手段】
【０００７】
請求項１の発明は、前壁部に前後方向に延びる端子収容室を有したフロントハウジングと、このフロントハウジングの端子収容室に連通するように前後方向に延びる端子収容室を有したリアハウジングと、前記フロントハウジングの前壁部と前記リアハウジングの前面側の間に組み付けられると共に、当該フロントハウジング及びリアハウジングの各端子収容室に収容された端子を仮係止位置から本係止位置に移動することで抜け止めするスペーサと、前記リアハウジングの後面側に組み付けられると共に、後壁部の内面側に備えられたマットシールにより前記端子から後方へ延びる電線をシールするシールハウジングとで構成されたコネクタであって、前記フロントハウジングの前壁部の後方にフード部を形成し、前記リアハウジングの前面両側に保持部をそれぞれ形成し、この両側の保持部に仮係止用のガイドと本係止用のガイドをそれぞれ兼用したガイドを複数形成し、かつ、前記スペーサの両側に弾性片部をそれぞれ形成し、この両側の弾性片部に仮係止用のガイドと本係止用のガイドをそれぞれ兼用したガイドを複数形成し、これら各ガイドを介して前記スペーサを前記リアハウジングの両側の保持部よりも前記スペーサの両側の弾性片部が外側へ突出する前記仮係止位置と前記スペーサの両側の弾性片部と前記リアハウジングの両側の保持部が重なる前記本係止位置とに切り換え自在に前記リアハウジングの両側の保持部間に保持し、このスペーサが前記本係止位置にて前記リアハウジングの両側の保持部間に保持された状態で当該スペーサ及び前記リアハウジングを前記フロントハウジングのフード部内に後方より嵌め込んで組み付け自在にし、かつ、前記リアハウジングの後面側に設けられた連結手段を介して前記シールハウジングを前記スペーサ及びリアハウジングの組み付け方向と同方向から組み付け自在にしたことを特徴とする。
【発明の効果】
【０００９】
以上説明したように、請求項１の発明によれば、フロントハウジングの前壁部の後方にフード部を形成し、リアハウジングの前面両側に保持部をそれぞれ形成し、この両側の保持部に仮係止用のガイドと本係止用のガイドをそれぞれ兼用したガイドを複数形成し、かつ、スペーサの両側に仮係止用のガイドと本係止用のガイドをそれぞれ兼用したガイドを複数形成し、これら各ガイドを介してスペーサを仮係止位置と本係止位置とに切り換え自在に保持し、このスペーサがリアハウジングの両側の保持部間に保持された状態でスペーサ及びリアハウジングをフロントハウジングのフード部内に後方より嵌め込んで組み付け自在にし、かつ、リアハウジングの後面側に設けられた連結手段を介してシールハウジングをスペーサ及びリアハウジングの組み付け方向と同方向から組み付け自在にしたことにより、フロントハウジングとスペーサとリアハウジング及びシールハウジングを一方向から簡単かつ確実に組み付けることができ、コネクタの組み付けを自動化することができる。また、コネクタの組み付け方向が一方向のみのため、組付部品の加工費を削減することができる。
【００１０】
特に、リアハウジングの両側の保持部に仮係止用のガイドと本係止用のガイドをそれぞれ兼用したガイドを複数形成し、かつ、スペーサの両側に仮係止用のガイドと本係止用のガイドをそれぞれ兼用したガイドを複数形成し、これら各ガイドを介してスペーサを仮係止位置と本係止位置とに切り換え自在にしたことにより、簡単な構造により、スペーサを仮係止位置と本係止位置とに確実に切り換えることができる。これにより、スペーサを仮係止位置に移動させることで、フロントハウジングとリアハウジングの各端子収容室に端子を簡単に収容することができると共に、スペーサを仮係止位置から本係止位置に移動させることで、端子を確実に抜け止めすることができる。
【図面の簡単な説明】
【００１１】
【図１】本発明の一実施形態のコネクタの組み付け前の状態を示す斜視図である。
【図２】上記コネクタの組み付け前の断面図である。
【図３】上記コネクタに用いられるスペーサの一側部の仮係止用と本係止用のガイド周辺の拡大斜視図である。
【図４】上記コネクタに用いられるリアハウジングの一方の保持部の拡大斜視図である。
【図５】（ａ）は本係止時のスペーサのガイドとリアハウジングのガイドの位置関係を示す説明図、（ｂ）は本係止位置から仮係止位置に切り換える途中のスペーサのガイドとリアハウジングのガイドの位置関係を示す説明図、（ｃ）は仮係止時のスペーサのガイドとリアハウジングのガイドの位置関係を示す説明図である。
【図６】（ａ）は上記スペーサとリアハウジングの組み付け前の模式説明図、（ｂ）は上記スペーサとリアハウジングをフロントハウジングのフード部内に嵌め込んで組み付けた状態を示す模式説明図、（ｃ）は上記スペーサを仮係止位置まで降ろした状態を示す模式説明図である。
【図７】上記コネクタの組み付け完了時でスペーサが本係止位置にある状態を示す断面図である。
【図８】上記スペーサを仮係止位置まで降ろしてコネクタに電線を挿入する前の状態を示す断面図である。
【図９】従来のコネクタの分解斜視図である。
【発明を実施するための形態】
【００１２】
以下、本発明の一実施形態を図面に基づいて説明する。
【００１３】
図１は本発明の一実施形態のコネクタの組み付け前の状態を示す斜視図、図２はコネクタの組み付け前の断面図、図３はコネクタに用いられるスペーサの一側部の仮係止用と本係止用のガイド周辺の拡大斜視図、図４はコネクタに用いられるリアハウジングの一方の保持部の拡大斜視図、図５（ａ）は本係止時のスペーサのガイドとリアハウジングのガイドの位置関係を示す説明図、図５（ｂ）は本係止位置から仮係止位置に切り換える途中のスペーサのガイドとリアハウジングのガイドの位置関係を示す説明図、図５（ｃ）は仮係止時のスペーサのガイドとリアハウジングのガイドの位置関係を示す説明図、図６（ａ）はスペーサとリアハウジングの組み付け前の模式説明図、図６（ｂ）はスペーサとリアハウジングをフロントハウジングのフード部内に嵌め込んで組み付けた状態を示す模式説明図、図６（ｃ）はスペーサを仮係止位置まで降ろした状態を示す模式説明図、図７はコネクタの組み付け完了時でスペーサが本係止位置にある状態を示す断面図、図８はスペーサを仮係止位置まで降ろしてコネクタに電線を挿入する前の状態を示す断面図である。
【００１４】
図１，図２，図８に示すように、コネクタ１０は、前壁部１２に前後方向に延びる複数の端子収容室１４を有した合成樹脂製のフロントハウジング１１と、このフロントハウジング１１の各端子収容室１４に連通するように前後方向に延びる複数の端子収容室２１を有した合成樹脂製のリアハウジング２０と、フロントハウジング１１の前壁部１２とリアハウジング２０の前面２０ａ側の間に組み付けられると共に、フロントハウジング１１の各端子収容室１４とリアハウジング２０の各端子収容室２１に収容された丸形の端子６０を一次係止位置（仮係止位置）から二次係止位置（本係止位置）に移動することで抜け止めする合成樹脂製のスペーサ３０と、リアハウジング２０の後面２０ｂ側に組み付けられると共に、後壁部４２の内面４２ａ側に備えられたゴム製のマットシール５０により丸形の端子６０から後方へ延びる電線６５をシールする合成樹脂製のシールハウジング４０とで構成されている。
【００１５】
図１，図２に示すように、フロントハウジング１１は、角形ブロック状の前壁部１２と、この前壁部１２の後面１２ｂから後方に一体突出形成された四角筒状のフード部１３とを有している。前壁部１２には前後方向に延びる複数の端子収容室１４を形成してある。この各端子収容室１４には、丸形の端子６０の円筒状の電気接続部６１を収容するようになっている。そして、前壁部１２の前面１２ａの各端子収容室１４に対向する位置には、図示しない相手側コネクタの端子が挿入される端子挿入口１５を複数形成してある。また、フード部１３の前壁部１２の後面１２ｂの真下には、矩形のスペーサ出入口１６を形成してある。さらに、フード部１３の両側壁の内面１３ａには、その開口端１３ｂ側から前壁部１２の後面１２ｂまで平行に延びる溝状の凹部１７を上段と中段と下段にそれぞれ形成してあり、この溝状の各凹部１７にはテーパ面１８ａを有した係合突起１８を一体突出形成してある。
【００１６】
図１，図２に示すように、リアハウジング２０は角形ブロック状に形成されいて、その前面２０ａから後面２０ｂにかけてフロントハウジング１１の各端子収容室１４に連通するように複数の端子収容室２１を形成してある。この各端子収容室２１には、丸形の端子６０の導体加締部６３と被覆加締部６４を収容するようになっている。また、各端子収容室２１の前面２０ａ側には丸形の端子６０の係合凹部６２の上側を一次係止するランス（可撓性係止腕）２２を一体突出形成してある。さらに、リアハウジング２０の両側面２０ｃ，２０ｃのフロントハウジング１１の各係合突起１８に対向する位置には、該各係合突起１８に係止される係止突起２３を一体突出形成してある。
【００１７】
また、図２，図４に示すように、リアハウジング２０の前面２０ａの両側には一対の保持部２４，２４を両側面２０ｃ，２０ｃより突出するようにそれぞれ一体形成してあり、この一対の保持部２４，２４間にスペーサ３０を一次係止位置（仮係止位置）と二次係止位置（本係止位置）とに切り換え自在に保持してある。即ち、各保持部２４はスリット２４ａを介して上段、中段、下段の３箇所に分かれていて、図１中右側の保持部２４の上段と中段の内面、及び、左側の保持部２４の中段と下段の内面には、前後方向に平行に延びる一次係止（仮係止）と二次係止（本係止）を兼用した山形の係止突起（ガイド）２５を３箇所それぞれ一体突出形成してある。この各係止突起２５と後述するスペーサ３０の各係止突起３４の係止位置を変えることで、スペーサ３０の一次係止位置と二次係止位置を切り換えることができるようになっている。
【００１８】
また、リアハウジング２０の後面２０ｂには外側に突出した環状の鍔部２６を一体突出形成してあり、スペーサ３０が二次止位置でリアハウジング２０の一対の保持部２４，２４間に保持された状態でスペーサ３０と共にリアハウジング２０をフロントハウジング１１のフード部１３内に後方より嵌め込んで組み付けた時に、図７に示すように、リアハウジング２０の鍔部２６がフロントハウジング１１のフード部１３の開口端１３ｂに当たるようになっている。この時、フロントハウジング１１のフード部１３の各係合突起１８にリアハウジング２０の両側の各係止突起２３が係止して、両者の組み付け状態がロックされるようになっている。
【００１９】
さらに、リアハウジング２０の後面２０ｂの四隅には、棒状の係止腕（連結手段）２７を一体突出形成してある。この各係止腕２７を介してシールハウジング４０をスペーサ３０及びリアハウジング２０の組み付け方向と同方向からリアハウジング２０の後面２０ｂに組み付けることができるようになっている。
【００２０】
図１，図２に示すように、スペーサ３０は矩形板状に形成してあり、その後面３０ｂに格子状のリブ３１を一体突出形成してある。また、スペーサ３０のリアハウジング２０の各端子収容室２１に対向する位置には、二次係止時に丸形の端子６０の係合凹部６２の下側を係止する丸形の係止孔３２を前面３０ａから後面３０ｂにかけて段差状になって貫通するように複数形成してある。
【００２１】
さらに、スペーサ３０の両側面３０ｃ，３０ｃには上下各一対の弾性片部３３，３３を一体突出形成してある。この各一対の弾性片部３３，３３の外面には、リアハウジング２０の各保持部２４の各係止突起２５に係止・離脱される一次係止（仮係止）と二次係止（本係止）を兼用した山形の係止突起（ガイド）３４を３箇所それぞれ一体突出形成してある。そして、図５（ａ）〜図５（ｃ）に示すように、スペーサ３０の各弾性片部３３が内側に、リアハウジング２０の各保持部２４が外側に弾性変形することにより、各ガイド２５，３４の係止・離脱を介してスペーサ３０をリアハウジング２０に対して一次係止位置と二次係止位置とに切り換えることができるようになっている。
【００２２】
図２及び図８に示すように、シールハウジング４０は、四角筒状のフード部４１と、このフード部４１の後端開口を覆う矩形板状の後壁部４２とを備えており、フード部４１内にスペーサ３０とリアハウジング２０を嵌め込んだフロントハウジング１１のフード部１３の後半部を収容できるようになっている。このシールハウジング４０の後壁部４２のリアハウジング２０の各端子収容室２１に対向する位置には、丸形の端子６０を挿入する端子挿入孔４３を複数形成してある。また、シールハウジング４０の後壁部４２のリアハウジング２０の各係止腕２７に対向する位置には、該各係止腕２７が挿入されて係止される連結孔４４を複数形成してある。
【００２３】
さらに、シールハウジング４０の後壁部４２の内面４２ａには、ゴム製で肉厚板状のマットシール５０を二色成形やインサート成形等により一体に形成してある。このマットシール５０には、丸形の端子６０に接続された電線６５が挿通されてシールされる電線挿通孔５１を複数形成してある。また、マットシール５０の外周部にはシールリップ５２を一体突出形成してある。このマットシール５０のシールリップ５２により、シールハウジング４０のフード部４１とスペーサ３０とリアハウジング２０を嵌め込んだフロントハウジング１１のフード部１３との間に挿入されて嵌め込まれる図示しない相手側コネクタのフード部をシールするようになっている。
【００２４】
以上実施形態のコネクタ１０によれば、図６（ａ）に示すように、リアハウジング２０の両側の保持部２４，２４間にその前方よりスペーサ３０の左右の各弾性片部３３を二次係止位置で組み付けた後、図６（ｂ）に示すように、これらスペーサ３０及びリアハウジング２０をフロントハウジング１１のフード部１３内に後方より嵌め込んで組み付ける。
【００２５】
次に、図７に示すように、マットシール５０付きのシールハウジング４０を、スペーサ３０とリアハウジング２０及びフロントハウジング１１の組み付け方向と同方向からリアハウジング２０の後面２０ｂに係止腕２７を介して組み付ける。
【００２６】
そして、図５（ｃ）と図６（ｃ）及び図８に示すように、スペーサ３０を一次係止位置に下げて、丸形の端子６０をリアハウジング２０の端子収容室２１とフロントハウジング１１の端子収容室１４に収容する。次に、スペーサ３０を図７に示す二次係止位置に押し上げることにより、リアハウジング２０の端子収容室２１とフロントハウジング１１の端子収容室１４に収容された丸形の端子６０の係合凹部６２の下側にスペーサ３０の係止孔３２が係止することにより、端子６０がスペーサ３０で二次係止されて抜け止めされる。
【００２７】
このように、フロントハウジング１１の前壁部１２の後方にフード部１３を一体突出形成し、リアハウジング２０の前面２０ａ両側に保持部２４，２４をそれぞれ一体突出形成し、この両側の保持部２４，２４間にスペーサ３０を一次係止位置と二次係止位置とに切り換え自在に保持し、このスペーサ３０が二次係止位置でリアハウジング２０の両側の保持部２４，２４間に保持された状態で、スペーサ３０及びリアハウジング２０をフロントハウジング１１のフード部１３内に後方より嵌め込んで組み付け、リアハウジング２０の後面２０ｂ側に設けられた棒状の係止腕２７を介してシールハウジング４０をスペーサ３０とリアハウジング２０及びフロントハウジング１１の組み付け方向と同方向から該リアハウジング２０の後面２０ｂ側に組み付けるようにしたことにより、フロントハウジング１１とスペーサ３０とリアハウジング２０及びシールハウジング４０を一方向（同一方向）から簡単かつ確実に組み付けることができる。これにより、コネクタ１０の組み付けを自動化することができる。また、コネクタ１０の組み付け方向が一方向のみのため、組付部品の加工費を大幅に削減することができる。
【００２８】
さらに、リアハウジング２０の両側の保持部２４，２４に一次係止と二次係止を兼用した複数の係止突起２５をそれぞれ一体突出形成し、スペーサ３０の両側の各弾性片部３３に一次係止と二次係止兼用の複数の係止突起３４をそれぞれ一体突出形成し、これら各ガイド２５，３４を介してスペーサ３０を一次係止位置と二次係止位置とに切り換えるようにしたことにより、簡単な構造により、スペーサ３０を一次係止位置と二次係止位置とに確実に切り換えることができる。これにより、スペーサ３０を一次係止位置に移動させることで、フロントハウジング１１の端子収容室１４とリアハウジング２０の端子収容室２１に丸形の端子６０を簡単に収容することができると共に、スペーサ３０を一次係止位置から二次係止位置に移動させることで、丸形の端子６０を確実に抜け止めすることができる。
【００２９】
尚、前記実施形態によれば、端子として電気接続部が円筒状の丸形の端子を用いたが、電気接続部が四角筒状の角形の端子を用いても良い。
【符号の説明】
【００３０】
１０  コネクタ
１１  フロントハウジング
１２  前壁部
１３  フード部
１４  端子収容室
２０  リアハウジング
２０ａ  前面
２０ｂ  後面
２１  端子収容室
２４，２４  両側の保持部
２５  係止突起（仮係止用と本係止用のガイド）
２７  係止腕（結合手段）
３０  スペーサ
３４  係止突起（仮係止用と本係止用のガイド）
４０  シールハウジング
４２  後壁部
４２ａ  内面
５０  マットシール
６０  丸形の端子（端子）
６５  電線
【図１】
0005687461.tif 000002
【図２】
0005687461.tif 000003
【図３】
0005687461.tif 000004
【図４】
0005687461.tif 000005
【図５】
0005687461.tif 000006
【図６】
0005687461.tif 000007
【図７】
0005687461.tif 000008
【図８】
0005687461.tif 000009
【図９】
0005687461.tif 000010